【手続補正書】
【提出日】平成20年3月31日(2008.3.31)
【手続補正１】
【補正対象書類名】明細書
【補正対象項目名】特許請求の範囲
【補正方法】変更
【補正の内容】
【特許請求の範囲】  
【請求項１】  電子メールの送受信が可能な通信端末であって、
メール内容を音声入力するための音声入力手段と、
音声を認識してテキスト形式の文字列データを作成する音声認識手段と、
前記文字列データにアクセントデータを付加する制御手段と、
前記アクセントデータを付加した文字列データを電子メールとして送信する送信手段とを含み、
前記制御手段は、送信電子メールに、アクセントデータを付加した文字列データであることを示す識別信号を付与し、
前記通信端末は、電子メールを受信する受信手段と、
受信電子メールの文字列データに基づいて、音声合成を行う音声合成手段と、
音声読み上げを行う音声読上手段とを含み、
前記制御手段が、受信電子メールの識別信号の存在を確認したとき、前記音声合成手段は受信電子メールのアクセントデータおよび文字列データに基づいて、アクセント付きの音声を合成し、前記音声読上手段がアクセント付きの音声を読み上げ、
前記制御手段が、受信電子メールの識別信号の存在を確認しないとき、前記音声合成手段は受信電子メールの文字列データに基づいて、アクセント無しの音声を合成し、前記音声読上手段がアクセント無しの音声を読み上げることを特徴とする通信端末。
【請求項２】  前記制御手段は、送信電子メールに、音声合成の音質に関する音質データを付加し、
前記通信端末は、受信電子メールの文字列データを表示する表示手段を有し、
前記制御手段が、音声合成可能と判断したとき、前記音声合成手段は受信電子メールの文字列データ、アクセントデータおよび音質データに基づいて、アクセント付きの音声を合成し、前記音声読上手段がアクセント付きの音声を読み上げ、
前記制御手段が、音声合成不可と判断したとき、前記表示手段が受信電子メールの文字列データを表示することを特徴とする請求項１記載の通信端末。
【請求項３】  前記受信手段が複数の電子メールを受信したとき、前記制御手段は、各受信電子メールに優先順位を付与することを特徴とする請求項１または２記載の通信端末。
【請求項４】  電子メールの文字列データは、件名を含む構成あって、
前記制御手段は、使用者によって予め定められた優先順位用キーワードに基づいて、各受信電子メールの件名をキーワード検索することによって、各受信電子メールに優先順位を付与することを特徴とする請求項３記載の通信端末。
【請求項５】  電子メールの文字列データは、送信者名を含む構成であって、
前記制御手段は、使用者によって予め定められた優先順位用キーワードに基づいて、各受信電子メールの送信者名をキーワード検索することによって、各受信電子メールに優先順位を付与することを特徴とする請求項３記載の通信端末。
【請求項６】  電子メールの文字列データは、メール本文を含む構成であって、
前記制御手段は、使用者によって予め定められた優先順位用キーワードに基づいて、各受信電子メールのメール本文をキーワード検索することによって、各受信電子メールに優先順位を付与することを特徴とする請求項３記載の通信端末。
【請求項７】  前記制御手段は、各受信電子メールの送信時刻に基づいて、各受信電子メールに優先順位を付与することを特徴とする請求項３記載の通信端末。
【請求項８】  複数の受信電子メールに、複数の返信電子メールが含まれるとき、
前記制御手段は、返信の基になる送信電子メールを送信した時刻から返信電子メールが送信された時刻までの時間に基づいて、各返信電子メールに優先順位を付与することを特徴とする請求項３記載の通信端末。
【請求項９】  前記制御手段は、使用者によって予め定められた通知禁止キーワードに基づいて、受信電子メールの文字列データをキーワード検索することを特徴とする請求項１〜８のいずれかに記載の通信端末。
【請求項１０】  前記音声読上手段は、受信電子メールの文字列データを早送りして読み上げる機能を備えることを特徴とする請求項１〜９のいずれかに記載の通信端末。
【請求項１１】  前記音声読上手段は、受信電子メールの文字列データの読み上げ中に、この文字列データを再読み上げする機能を備えることを特徴とする請求項１〜１０のいずれかに記載の通信端末。
【請求項１２】  複数の受信電子メールが存在するとき、前記音声合成手段は、各受信電子メールの文字列データを、先頭部分から予め定める時間ずつ読み上げることを特徴とする請求項１〜１１のいずれかに記載の通信端末。
【請求項１３】  複数の受信電子メールが存在するとき、前記音声読上手段が各受信電子メールの文字列データの先頭部分を読み上げる時間の合計時間を設定できることを特徴とする請求項１〜１２のいずれかに記載の通信端末。
【請求項１４】  電子メールの受信が可能な通信端末であって、
受信した電子メール中の文字列データを第１の読み上げ音声または第２の読み上げ音声で読み上げる音声読上手段と、
読み上げる速度を変更する読上速度変更手段とを備えることを特徴とする通信端末。
【請求項１５】  前記音声読上手段の第１の読み上げ音声は受信した電子メールに付加されたアクセントデータに基づく読み上げ音声であり、前記第２の読み上げ音声は受信した電子メールに付加されたアクセントデータを使用しない音声であることを特徴とする請求項１４記載の通信端末。
【手続補正２】
【補正対象書類名】明細書
【補正対象項目名】０００５
【補正方法】変更
【補正の内容】
【０００５】
【課題を解決するための手段】
請求項１記載の本発明は、電子メールの送受信が可能な通信端末であって、
メール内容を音声入力するための音声入力手段と、
音声を認識してテキスト形式の文字列データを作成する音声認識手段と、
前記文字列データにアクセントデータを付加する制御手段と、
前記アクセントデータを付加した文字列データを電子メールとして送信する送信手段とを含み、
前記制御手段は、送信電子メールに、アクセントデータを付加した文字列データであることを示す識別信号を付与し、
前記通信端末は、電子メールを受信する受信手段と、
受信電子メールの文字列データに基づいて、音声合成を行う音声合成手段と、
音声読み上げを行う音声読上手段とを含み、
前記制御手段が、受信電子メールの識別信号の存在を確認したとき、前記音声合成手段は受信電子メールのアクセントデータおよび文字列データに基づいて、アクセント付きの音声を合成し、前記音声読上手段がアクセント付きの音声を読み上げ、
前記制御手段が、受信電子メールの識別信号の存在を確認しないとき、前記音声合成手段は受信電子メールの文字列データに基づいて、アクセント無しの音声を合成し、前記音声読上手段がアクセント無しの音声を読み上げることを特徴とする通信端末である。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
請求項２記載の本発明は、前記制御手段は、送信電子メールに、音声合成の音質に関する音質データを付加し、
前記通信端末は、受信電子メールの文字列データを表示する表示手段を有し、
前記制御手段が、音声合成可能と判断したとき、前記音声合成手段は受信電子メールの文字列データ、アクセントデータおよび音質データに基づいて、アクセント付きの音声を合成し、前記音声読上手段がアクセント付きの音声を読み上げ、
前記制御手段が、音声合成不可と判断したとき、前記表示手段が受信電子メールの文字列データを表示することを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
請求項３記載の本発明は、前記受信手段が複数の電子メールを受信したとき、前記制御手段は、各受信電子メールに優先順位を付与することを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
請求項４記載の本発明は、電子メールの文字列データは、件名を含む構成あって、
前記制御手段は、使用者によって予め定められた優先順位用キーワードに基づいて、各受信電子メールの件名をキーワード検索することによって、各受信電子メールに優先順位を付与することを特徴とする
請求項５記載の本発明は、電子メールの文字列データは、送信者名を含む構成であって、
前記制御手段は、使用者によって予め定められた優先順位用キーワードに基づいて、各受信電子メールの送信者名をキーワード検索することによって、各受信電子メールに優先順位を付与することを特徴とする。
【手続補正１０】
【補正対象書類名】明細書
【補正対象項目名】００１８
【補正方法】変更
【補正の内容】
【００１８】
請求項６記載の本発明は、電子メールの文字列データは、メール本文を含む構成であって、
前記制御手段は、使用者によって予め定められた優先順位用キーワードに基づいて、各受信電子メールのメール本文をキーワード検索することによって、各受信電子メールに優先順位を付与することを特徴とする。
【手続補正１１】
【補正対象書類名】明細書
【補正対象項目名】００１９
【補正方法】変更
【補正の内容】
【００１９】
請求項７記載の本発明は、前記制御手段は、各受信電子メールの送信時刻に基づいて、各受信電子メールに優先順位を付与することを特徴とする。
【手続補正１２】
【補正対象書類名】明細書
【補正対象項目名】００２０
【補正方法】変更
【補正の内容】
【００２０】
請求項８記載の本発明は、複数の受信電子メールに、複数の返信電子メールが含まれるとき、
前記制御手段は、返信の基になる送信電子メールを送信した時刻から返信電子メールが送信された時刻までの時間に基づいて、各返信電子メールに優先順位を付与することを特徴とする。
【手続補正１３】
【補正対象書類名】明細書
【補正対象項目名】００２４
【補正方法】変更
【補正の内容】
【００２４】
請求項９記載の本発明は、前記制御手段は、使用者によって予め定められた通知禁止キーワードに基づいて、受信電子メールの文字列データをキーワード検索することを特徴とする。
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】変更
【補正の内容】
【００２７】
請求項１０記載の本発明は、前記音声読上手段は、受信電子メールの文字列データを早送りして読み上げる機能を備えることを特徴とする。
【手続補正１７】
【補正対象書類名】明細書
【補正対象項目名】００２８
【補正方法】変更
【補正の内容】
【００２８】
請求項１１記載の本発明は、前記音声読上手段は、受信電子メールの文字列データの読み上げ中に、この文字列データを再読み上げする機能を備えることを特徴とする。
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】変更
【補正の内容】
【００３２】
請求項１２記載の本発明は、複数の受信電子メールが存在するとき、前記音声合成手段は、各受信電子メールの文字列データを、先頭部分から予め定める時間ずつ読み上げることを特徴とする。
【手続補正２２】
【補正対象書類名】明細書
【補正対象項目名】００３３
【補正方法】変更
【補正の内容】
【００３３】
請求項１３記載の本発明は、複数の受信電子メールが存在するとき、前記音声読上手段が各受信電子メールの文字列データの先頭部分を読み上げる時間の合計時間を設定できることを特徴とする。
【手続補正２３】
【補正対象書類名】明細書
【補正対象項目名】００３５
【補正方法】変更
【補正の内容】
【００３５】
請求項１４記載の本発明は、電子メールの受信が可能な通信端末であって、
受信した電子メール中の文字列データを第１の読み上げ音声または第２の読み上げ音声で読み上げる音声読上手段と、
読み上げる速度を変更する読上速度変更手段とを備えることを特徴とする通信端末。
本発明に従えば、電子メールを受信すると、音声読上手段は受信した電子メール中の文字列データを第１の読み上げ音声または第２の読み上げ音声で読み上げて、メール内容を使用者に通知することができる。このような読み上げ音声は、読上速度変更手段によって読み上げる速度を変更することができる。したがって、使用者の嗜好に合わせて音声を変更し、あるいは読み上げ速度を変更して、メール内容を確認することができる。
【手続補正２４】
【補正対象書類名】明細書
【補正対象項目名】００３６
【補正方法】変更
【補正の内容】
【００３６】
請求項１５記載の本発明は、前記音声読上手段の第１の読み上げ音声は受信した電子メールに付加されたアクセントデータに基づく読み上げ音声であり、前記第２の読み上げ音声は受信した電子メールに付加されたアクセントデータを使用しない音声であることを特徴とする。
本発明に従えば、受信した電子メールにアクセントデータが付加されているときには、音声読上手段はアクセント付きの音声で文字列データを読み上げして使用者に通知すことができる。また受信した電子メールにアクセントデータが付加されていないときには、音声読上手段はアクセント無しの音声で文字列データを読み上げして使用者に通知することができる。
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００７０
【補正方法】削除
【補正の内容】
【手続補正３１】
【補正対象書類名】明細書
【補正対象項目名】００７２
【補正方法】削除
【補正の内容】
【手続補正３２】
【補正対象書類名】明細書
【補正対象項目名】００７４
【補正方法】削除
【補正の内容】